(57)【要約】【課題】画像音声出力装置において、アンプなどの高価な製品を持たなくても、簡易的に臨場感のある音声を再現できるようにする。【解決手段】画像音声出力装置であるテレビジョン受像機は、受信している音声信号がマルチＣＨ音声信号であって（＃１でＹＥＳ）、サテライト音声出力機能が有効に設定されている場合（＃２でＹＥＳ）、その受信しているマルチＣＨ音声信号のサテライト成分の音声信号とその他の成分（サテライト成分以外の成分）の音声信号を個別デコードする（＃３）。そして、テレビジョン受像機は、デコードしたサテライト成分の音声信号を音声信号出力端子に供給すると共に（＃４）、デコードしたその他の成分の音声信号を内蔵スピーカに供給する（＃５）。音声信号出力端子に外部スピーカを接続することにより、サテライト成分の音声信号が外部スピーカから出力されると共に、その他の成分の音声が内蔵スピーカから出力される。【選択図】図２
2012156598.tif 000002
【特許請求の範囲】
【請求項１】
画像信号及び音声信号を受信する受信手段を備え、前記受信手段により受信した画像信号による画像をディスプレイに表示すると共に、前記受信手段により受信した音声信号による音声を内蔵スピーカから出力する画像音声出力装置において、
音声信号を外部に出力するための音声信号出力端子と、
前記受信手段により受信した音声信号による音声の出力を制御する音声出力制御手段とを備え、
前記音声出力制御手段は、前記受信手段により受信している音声信号がマルチチャンネル音声信号である場合に、そのマルチチャンネル音声信号のサテライト成分の音声信号を前記音声信号出力端子に供給すると共に、そのマルチチャンネル音声信号のサテライト成分以外の成分の音声信号を前記内蔵スピーカに供給する、
ことを特徴とする画像音声出力装置。
【請求項２】
本装置の動作を指示するためにユーザにより操作される操作手段と、
ユーザによる前記操作手段の操作に基いて、サテライト音声出力機能を有効にするか否かを設定するサテライト機能設定手段とをさらに備え、
前記音声出力制御手段は、
前記サテライト機能設定手段により前記サテライト音声出力機能が有効に設定されていれば、前記マルチチャンネル音声信号のサテライト成分の音声信号を前記音声信号出力端子に供給すると共に、前記マルチチャンネル音声信号のサテライト成分以外の成分の音声信号を前記内蔵スピーカに供給し、
前記サテライト機能設定手段により前記サテライト音声出力機能が有効に設定されていなければ、前記マルチチャンネル音声信号のサテライト成分の音声信号とサテライト成分以外の成分の音声信号をダウンミックスした音声信号を前記内蔵スピーカに供給する、
ことを特徴とする請求項１に記載の画像音声出力装置。
【請求項３】
本装置の動作を指示するためにユーザにより操作される操作手段と、
ユーザによる前記操作手段の操作に基いて、前記音声信号出力端子に供給する前記サテライト成分の音声信号の強度を設定するサテライト音声強度設定手段とをさらに備え、
前記音声出力制御手段は、
前記サテライト成分の音声信号を前記サテライト音声強弱設定手段により設定されている強度で前記音声信号出力端子に供給する、
ことを特徴とする請求項１又は請求項２に記載の画像音声出力装置。
【請求項４】
前記音声信号出力端子は、ヘッドホンジャックである、
ことを特徴とする請求項１に記載の画像音声出力装置。
【請求項５】
前記受信手段は、テレビジョン放送局からテレビジョン信号として放送される画像信号及び音声信号を受信するものである、
ことを特徴とする請求項１に記載の画像音声出力装置。
【請求項６】
前記受信手段は、外部装置からＨＤＭＩ信号として送信される画像信号及び音声信号を受信するものである、
ことを特徴とする請求項１に記載の画像音声出力装置。
【発明の詳細な説明】
【技術分野】
【０００１】
本発明は、画像信号及び音声信号を受信して、受信した画像信号による画像をディスプレイに表示すると共に、受信した音声信号による音声を内蔵スピーカから出力する画像音声出力装置に関するものである。
【背景技術】
【０００２】
従来から、画像音声出力装置の一種であるテレビジョン受像機は、テレビジョン放送局からテレビジョン信号として放送される画像信号及び音声信号を受信して、その受信した画像信号による画像を表示すると共に、その受信した音声信号による音声を出力するようになっている。また、このようなテレビジョン受像機において、外部装置からＨＤＭＩ信号として送信される画像信号及び音声信号を受信して、その受信した画像信号による画像を表示すると共に、その受信した音声信号による音声を出力するものがある。
【０００３】
一方、例えばアメリカにおいては、テレビジョン放送として、ＡＴＳＣ方式のテレビジョン放送が行われており、ＡＴＳＣ方式のテレビジョン放送では、音声信号としてマルチＣＨ（チャンネル）音声信号が放送されることが多い。マルチＣＨ音声信号とは、例えば、ドルビーデジタル音声信号のような、フロント左、フロント右、センター、リア左、リア右、サブウーハーの各成分の音声信号により構成される５．１ＣＨの音声信号のことである。また、ＨＤＭＩ信号においても、音声信号としてマルチＣＨ（チャンネル）音声信号を送信することが可能である。マルチＣＨ音声（５．１ＣＨの音声）を出力するには、フロント左、フロント右、センター、リア左、リア右、サブウーハーの各成分に対応する６つのスピーカを必要とする。
【０００４】
ところで、従来のテレビジョン受像機は、内蔵スピーカとして、左スピーカと右スピーカの２つのスピーカしか備えていないため、受信したマルチＣＨ音声信号によるマルチＣＨ音声を出力することができない。
【０００５】
そこで、従来のテレビジョン受像機において、デジタル音声出力（ＳＰＤＩＦ）機能を設け、受信したマルチＣＨ音声信号をデジタル音声出力機能によって外部に出力できるようにしたものがある。このテレビジョン受像機では、アンプを接続し、受信したマルチＣＨ音声信号をデジタル音声出力機能によってアンプに出力することにより、受信したマルチＣＨ音声信号によるマルチＣＨ音声をアンプ経由で外部スピーカから出力することができる。
【０００６】
また、従来のテレビジョン受像機において、受信したマルチＣＨ音声信号を２ＣＨ（左成分と右成分）の音声信号にダウンミックスして、左成分の音声信号を内蔵の左スピーカに供給し、右成分の音声信号を内蔵の右スピーカに供給するようにしたものもある。
【０００７】
一方、音声出力端子に何も接続されていない状態においては、内蔵スピーカからステレオ音声を出力し、音声出力端子に外部スピーカが接続されている状態においては、内蔵スピーカからモノラル音声を出力し、音声出力端子に付属スピーカが接続されている状態においては、内蔵スピーカからステレオ音声を出力するようにしたテレビジョンセットが知られている（例えば特許文献１参照）。また、テレビジョン受像機と、テレビジョン受像機から出力される音声信号の左右のチャンネル成分の和信号に基いて音声を出力する前部中央スピーカと、音声信号の左右のチャンネル成分の差信号に基いて音声を出力する後部環境スピーカと、音声信号の左のチャンネル成分の信号に基いて音声を出力する左サテライトスピーカと、音声信号の右のチャンネル成分の信号に基いて音声を出力する右サテライトスピーカとを備えるシステムが知られている（例えば特許文献２参照）。
【先行技術文献】
【特許文献】
【０００８】
【特許文献１】特開２００４−２８２３９５号公報
【特許文献２】特開平１１−４５００号公報
【発明の概要】
【発明が解決しようとする課題】
【０００９】
しかしながら、上述した従来のテレビジョン受像機において、デジタル音声出力機能を設け、受信したマルチＣＨ音声信号をデジタル音声出力機能によって外部に出力できるようにしたものでは、アンプ及び外部スピーカを用いることにより、マルチＣＨによる臨場感のある音声を再現することができるものの、アンプなどの高価な製品を持たなくてはならない。また、受信したマルチＣＨ音声信号を２ＣＨの音声信号にダウンミックスして、左成分の音声信号を内蔵の左スピーカに供給し、右成分の音声信号を内蔵の右スピーカに供給するようにしたものでは、マルチＣＨによる臨場感のある音声を再現することができない。なお、上述した特許文献１及び特許文献２に開示の内容を適用したとしても、上記の問題を解決することはできない。
【００１０】
本発明は、上記課題を解決するためになされたものであり、アンプなどの高価な製品を持たなくても、簡易的に臨場感のある音声を再現することができる画像音声出力装置を提供することを目的とする。
【課題を解決するための手段】
【００１１】
上記目的を達成するために請求項１の発明は、画像信号及び音声信号を受信する受信手段を備え、受信手段により受信した画像信号による画像をディスプレイに表示すると共に、受信手段により受信した音声信号による音声を内蔵スピーカから出力する画像音声出力装置において、音声信号を外部に出力するための音声信号出力端子と、受信手段により受信した音声信号による音声の出力を制御する音声出力制御手段とを備え、音声出力制御手段は、受信手段により受信している音声信号がマルチチャンネル音声信号である場合に、そのマルチチャンネル音声信号のサテライト成分の音声信号を音声信号出力端子に供給すると共に、そのマルチチャンネル音声信号のサテライト成分以外の成分の音声信号を内蔵スピーカに供給するものである。
【００１２】
請求項２の発明は、請求項１に記載の画像音声出力装置において、本装置の動作を指示するためにユーザにより操作される操作手段と、ユーザによる操作手段の操作に基いて、サテライト音声出力機能を有効にするか否かを設定するサテライト機能設定手段とをさらに備え、音声出力制御手段は、サテライト機能設定手段によりサテライト音声出力機能が有効に設定されていれば、マルチチャンネル音声信号のサテライト成分の音声信号を音声信号出力端子に供給すると共に、マルチチャンネル音声信号のサテライト成分以外の成分の音声信号を内蔵スピーカに供給し、サテライト機能設定手段によりサテライト音声出力機能が有効に設定されていなければ、マルチチャンネル音声信号のサテライト成分の音声信号とサテライト成分以外の成分の音声信号をダウンミックスした音声信号を内蔵スピーカに供給するものである。
【００１３】
請求項３の発明は、請求項１又は請求項２に記載の画像音声出力装置において、本装置の動作を指示するためにユーザにより操作される操作手段と、ユーザによる操作手段の操作に基いて、音声信号出力端子に供給するサテライト成分の音声信号の強度を設定するサテライト音声強度設定手段とをさらに備え、音声出力制御手段は、サテライト成分の音声信号をサテライト音声強弱設定手段により設定されている強度で音声信号出力端子に供給するものである。
【００１４】
請求項４の発明は、請求項１に記載の画像音声出力装置において、音声信号出力端子は、ヘッドホンジャックであるものである。
【００１５】
請求項５の発明は、請求項１に記載の画像音声出力装置において、受信手段は、テレビジョン放送局からテレビジョン信号として放送される画像信号及び音声信号を受信するものである。
【００１６】
請求項６の発明は、請求項１に記載の画像音声出力装置において、受信手段は、外部装置からＨＤＭＩ信号として送信される画像信号及び音声信号を受信するものである。
【発明の効果】
【００１７】
請求項１の発明によれば、音声信号出力端子に外部スピーカを接続することにより、マルチＣＨ（チャンネル）音声信号のサテライト成分の音声信号が外部スピーカから出力されると共に、マルチＣＨ音声信号のサテライト成分以外の成分の音声が内蔵スピーカから出力される。従って、アンプなどの高価な製品を持たなくても、簡易的に臨場感のある音声を再現することができる。
【００１８】
請求項２の発明によれば、ユーザは、サテライト音声出力機能を働かせる状態（サテライト成分の音声信号が外部スピーカから出力されると共に、サテライト成分以外の成分の音声が内蔵スピーカから出力される状態）と、そうでない状態とに、任意に設定することができる。従って、利便性が良い。
【００１９】
請求項３の発明によれば、ユーザは、外部スピーカから出力されるサテライト成分の音声の音量を任意に調整することができる。従って、利便性が良い。
【００２０】
請求項４の発明によれば、外部スピーカを接続するための（すなわち、サテライト成分の音声を出力するための）専用の端子を設ける必要がない。従って、臨場感のある音声の再現を、安価に実現できる。
【００２１】
請求項５の発明によれば、テレビジョン放送局からテレビジョン信号として放送されるマルチＣＨ音声信号について、臨場感のある音声を再現することができる。
【００２２】
請求項６の発明によれば、外部装置からＨＤＭＩ信号として送信されるマルチＣＨ音声信号について、臨場感のある音声を再現することができる。
【図面の簡単な説明】
【００２３】
【図１】本発明の一実施形態に係るテレビジョン受像機の概略構成を示す電気的ブロック構成図。
【図２】同テレビジョン受像機の音声出力動作を示すフローチャート。
【発明を実施するための形態】
【００２４】
以下、本発明を具体化した実施形態による画像音声出力装置について図面を参照して説明する。図１は、本実施形態による画像音声出力装置であるテレビジョン受像機の構成を示す。テレビジョン受像機１は、テレビジョン放送局から放送されるテレビジョン信号を受信して、その受信したテレビジョン信号による画像を表示すると共に、その受信したテレビジョン信号による音声を出力する装置である。このテレビジョン受像機１は、ＡＴＳＣ方式のテレビジョン放送に対応しており、ＡＴＳＣ方式のテレビジョン信号を受信するようになっている。
【００２５】
また、このテレビジョン受像機１は、例えばパソコンやＢＤプレイヤなどの外部装置から送信されるＨＤＭＩ信号を受信して、その受信したＨＤＭＩ信号による画像を表示すると共に、その受信したＨＤＭＩ信号による音声を出力することができるようになっている。すなわち、このテレビジョン受像機１は、テレビジョン放送局からテレビジョン信号として放送される画像信号と音声信号、及び外部装置からＨＤＭＩ信号として送信される画像信号と音声信号を受信して、その受信した画像信号による画像を表示すると共に、その受信した音声信号による音声を出力する装置である。
【００２６】
テレビジョン受像機１は、テレビジョン受信部１１と、ＨＤＭＩ端子１２と、ＨＤＭＩレシーバ１３と、画像処理部１４と、ディスプレイ１５と、音声処理部１６と、内蔵スピーカ１７と、音声信号出力端子１８と、リモコン１９と、リモコン受信部２０と、テレビジョン受像機１の動作を制御する制御部２１等を備える。
【００２７】
テレビジョン受信部１１は、制御部２１による制御のもと、テレビジョン放送局から放送されるテレビジョン信号をアンテナ１１ａを介して受信し、その受信したテレビジョン信号による画像信号及び音声信号を生成する。すなわち、テレビジョン受信部１１は、制御部２１による制御のもと、テレビジョン放送局からテレビジョン信号として放送される画像信号及び音声信号を受信し、その受信した画像信号及び音声信号を出力する。テレビジョン受信部１１によって、受信手段が構成されている。
【００２８】
ＨＤＭＩ端子１２は、外部装置からＨＤＭＩ信号を入力するための端子である。ＨＤＭＩ端子１２には、外部装置が接続され、外部装置から送信されるＨＤＭＩ信号が入力される。ＨＤＭＩレシーバ１３は、制御部２１による制御のもと、外部装置から送信されるＨＤＭＩ信号をＨＤＭＩ端子１２を介して受信し、その受信したＨＤＭＩ信号による画像信号及び音声信号を生成する。すなわち、ＨＤＭＩレシーバ１３は、制御部２１による制御のもと、外部装置からＨＤＭＩ信号として送信される画像信号及び音声信号をＨＤＭＩ端子１２を介して受信し、その受信した画像信号及び音声信号を出力する。ＨＤＭＩ端子１２及びＨＤＭＩレシーバ１３によって、受信手段が構成されている。
【００２９】
画像処理部１４は、制御部２１による制御のもと、テレビジョン受信部１１から出力された画像信号、又はＨＤＭＩレシーバ１３から出力された画像信号をデコード処理し、そのデコード処理後の画像信号をディスプレイ１５に供給する。ディスプレイ１５は、画像処理部１４から供給された画像信号による画像を表示する。
【００３０】
音声処理部１６は、制御部２１による制御のもと、テレビジョン受信部１１から出力された音声信号、又はＨＤＭＩレシーバ１３から出力された音声信号をデコード処理し、そのデコード処理後の音声信号を内蔵スピーカ１７及び音声信号出力端子１８に供給する。また、音声処理部１６は、音声信号をデコード処理することにより得られたヘッダ情報（ヘッダ情報とは、デコード前の音声信号に含まれている、音声信号の種類などを示す情報）を制御部２１に出力する。また、音声処理部１６は、制御部２１による制御のもと、内蔵スピーカ１７及び音声信号出力端子１８に供給する音声信号の強度（音声として出力されたときの音量）を調整する。
【００３１】
内蔵スピーカ１７は、左スピーカ１７Ｌと、右スピーカ１７Ｒとから構成される。左スピーカ１７Ｌは、ディスプレイ１５の左側に配置されたスピーカであり、右スピーカ１７Ｒは、ディスプレイ１５の右側に配置されたスピーカである。音声処理部１６は、左スピーカ１７Ｌと右スピーカ１７Ｒに個別に音声信号を供給し、左スピーカ１７Ｌ及び右スピーカ１７Ｒは、各々、音声処理部１６から供給された音声信号による音声を出力する。
【００３２】
音声信号出力端子１８は、音声信号を外部に出力するための端子であり、ヘッドホンの音声信号入力端子が接続されるように構成されたヘッドホンジャックである。音声信号出力端子１８は、左音声信号出力部１８Ｌと、右音声信号出力部１８Ｒとを有する。音声処理部１６は、左音声信号出力部１８Ｌと右音声信号出力部１８Ｒに個別に音声信号を供給し、左音声信号出力部１８Ｌ及び右音声信号出力部１８Ｒは、各々、音声処理部１６から供給された音声信号を出力する。音声信号出力端子１８には、外部スピーカ８０を接続することも可能である。
【００３３】
外部スピーカ８０は、外部左スピーカ８１Ｌと、外部右スピーカ８１Ｒと、音声信号入力端子８２とを有する。音声信号入力端子８２は、ヘッドホンの音声信号入力端子と同様の形態をしており、音声信号出力端子１８に接続できるようになっている。外部スピーカ８０は、音声信号入力端子８２を音声信号出力端子１８に接続することにより、音声信号出力端子１８に接続され、左音声信号出力部１８Ｌから出力された音声信号が左音声信号入力部８２Ｌから入力されると共に、右音声信号出力部１８Ｒから出力された音声信号が右音声信号入力部８２Ｒから入力される。外部左スピーカ８１Ｌは、左音声信号入力部８２Ｌから入力された音声信号による音声を出力し、外部右スピーカ８１Ｒは、右音声信号入力部８２Ｒから入力された音声信号による音声を出力する。
【００３４】
リモコン１９は、テレビジョン受像機１の各種動作を指示するためにユーザに操作され、その操作内容を示す操作信号を赤外線によって送信する。リモコン受信部２０は、リモコン１９から送信される操作信号を受信する。リモコン１９によって、操作手段が構成されている。
【００３５】
このような構成のテレビジョン受像機１は、制御部２１による制御のもと、テレビジョン放送局からテレビジョン信号として放送される画像信号及び音声信号をテレビジョン受信部１１により受信し、又は、外部装置からＨＤＭＩ信号として送信される画像信号及び音声信号をＨＤＭＩレシーバ１３により受信する。そして、受信した画像信号による画像をディスプレイ１５に表示すると共に、受信した音声信号による音声を内蔵スピーカ１７から出力する。また、外部スピーカ８０を音声信号出力端子１８に接続することにより、受信した音声信号による音声を外部スピーカ８０から出力することができる。
【００３６】
また、テレビジョン受像機１は、サテライト音声出力機能を有している。サテライト音声出力機能とは、テレビジョン受信部１１又はＨＤＭＩレシーバ１３により受信した音声信号がマルチＣＨ（チャンネル）音声信号である場合に、そのマルチＣＨ音声信号のサテライト成分の音声信号を音声信号出力端子１８に供給すると共に、そのマルチＣＨ音声信号のサテライト成分以外の成分の音声信号を内蔵スピーカ１７に供給する機能である。マルチＣＨ音声信号とは、例えばドルビーデジタル音声信号のような、フロント左、フロント右、センター、リア左、リア右、サブウーハーの各成分の音声信号により構成される５．１ＣＨの音声信号のことである。サテライト成分の音声信号とは、リア左成分の音声信号、及びリア右成分の音声信号のことであり、サテライト成分以外の成分の音声信号とは、フロント左成分の音声信号、フロント右成分の音声信号、センター成分の音声信号、及びサブウーハー成分の音声信号のことである。
【００３７】
ここで、音声処理部１６における音声信号のデコード処理、及びデコード処理後の音声信号の内蔵スピーカ１７及び音声信号出力端子１８への供給について説明する。
【００３８】
音声処理部１６は、制御部２１による制御のもと、処理対象の音声信号（テレビジョン受信部１１又はＨＤＭＩレシーバ１３により受信している音声信号）を、以下の第１態様のデコード処理、第２態様のデコード処理、第３態様のデコード処理によってデコードする。
【００３９】
第１態様のデコード処理は、処理対象の音声信号がマルチＣＨ音声信号である場合のデコード処理である。第１態様のデコード処理では、音声処理部１６は、マルチＣＨ音声信号のリア左成分の音声信号をデコードして第１の音声信号を生成すると共に、リア右成分の音声信号をデコードして第２の音声信号を生成する。また、第１態様のデコード処理では、音声処理部１６は、マルチＣＨ音声信号のフロント左成分の音声信号とセンター成分の音声信号とサブウーハー成分の音声信号をダウンミックスしてデコードして第３の音声信号を生成すると共に、フロント右成分の音声信号とセンター成分の音声信号とサブウーハー成分の音声信号をダウンミックスしてデコードして第４の音声信号を生成する。
【００４０】
第２態様のデコード処理も、処理対象の音声信号がマルチＣＨ音声信号である場合のデコード処理である。第２態様のデコード処理では、音声処理部１６は、マルチＣＨ音声信号のリア左成分の音声信号とフロント左成分の音声信号とセンター成分の音声信号とサブウーハー成分の音声信号をダウンミックスしてデコードして第１の音声信号を生成すると共に、リア右成分の音声信号とフロント右成分の音声信号とセンター成分の音声信号とサブウーハー成分の音声信号をダウンミックスしてデコードして第２の音声信号を生成する。
【００４１】
第３態様のデコード処理は、処理対象の音声信号がマルチＣＨ音声信号でない（２ＣＨチャンネル）音声信号である）場合のデコード処理である。２ＣＨ音声信号は、左成分の音声信号と右成分の音声信号により構成される音声信号である。第３態様のデコード処理では、音声処理部１６は、２ＣＨ音声信号の左成分の音声信号をデコードして第１の音声信号を生成すると共に、右成分の音声信号をデコードして第２の音声信号を生成する。
【００４２】
また、音声処理部１６は、制御部２１による制御のもと、デコード処理後の音声信号（デコード処理により生成した音声信号）を、以下の第１の信号供給態様、第２の信号供給態様、第３の信号供給態様で、内蔵スピーカ１７及び音声信号出力端子１８に供給する。
【００４３】
第１の信号供給態様は、第１態様のデコード処理を行っているときの信号供給態様である。第１の信号供給態様では、音声処理部１６は、第１の音声信号（すなわち第１態様のデコード処理においてリア左成分の音声信号をデコードして生成した音声信号）を左音声信号出力部１８Ｌに供給すると共に、第２の音声信号（すなわち第１態様のデコード処理においてリア右成分の音声信号をデコードして生成した音声信号）を右音声信号出力部１８Ｒに供給する。また、第１の信号供給態様では、音声処理部１６は、第３の音声信号（すなわち第１態様のデコード処理においてフロント左成分の音声信号とセンター成分の音声信号とサブウーハー成分の音声信号をダウンミックスしてデコードして生成した音声信号）を左スピーカ１７Ｌに供給すると共に、第４の音声信号（すなわち第１態様のデコード処理においてフロント右成分の音声信号とセンター成分の音声信号とサブウーハー成分の音声信号をダウンミックスしてデコードして生成した音声信号）を右スピーカ１７Ｒに供給する。
【００４４】
第２の信号供給態様は、第２態様のデコード処理を行っているときの信号供給態様である。第２の信号供給態様では、音声処理部１６は、第１の音声信号（すなわち第２態様のデコード処理においてリア左成分の音声信号とフロント左成分の音声信号とセンター成分の音声信号とサブウーハー成分の音声信号をダウンミックスしてデコードして生成した音声信号）を左スピーカ１７Ｌ及び左音声信号出力部１８Ｌに供給すると共に、第２の音声信号（すなわち第２態様のデコード処理においてリア右成分の音声信号とフロント右成分の音声信号とセンター成分の音声信号とサブウーハー成分の音声信号をダウンミックスしてデコードして生成した音声信号）を右スピーカ１７Ｒ及び右音声信号出力部１８Ｒに供給する。
【００４５】
第３の信号供給態様は、第３態様のデコード処理を行っているときの信号供給態様である。第３の信号供給態様では、音声処理部１６は、第１の音声信号（すなわち第３態様のデコード処理において左成分の音声信号をデコードして生成した音声信号）を左スピーカ１７Ｌ及び左音声信号出力部１８Ｌに供給すると共に、第２の音声信号（すなわち第３態様のデコード処理において右成分の音声信号をデコードして生成した音声信号）を右スピーカ１７Ｒ及び右音声信号出力部１８Ｒに供給する。
【００４６】
制御部２１は、音声処理部１６におけるデコード処理の態様を制御する。また、制御部２１は、音声処理部１６におけるデコード処理後の音声信号の信号供給態様を制御する。そして、制御部２１は、これらデコード処理の態様及び信号供給態様を制御することにより、テレビジョン受信部１１又はＨＤＭＩレシーバ１３により受信している音声信号による音声の出力を制御する。制御部２１によって、音声出力制御手段が構成されている。
【００４７】
また、制御部２１は、ユーザによるリモコン１９の操作に基いて、サテライト音声出力機能を有効にするか否かを設定する。この設定は、メニュー画面を表示して行われる。制御部２１によって、サテライト機能設定手段が構成されている。
【００４８】
また、制御部２１は、ユーザによるリモコン１９の操作に基いて、サテライト音声強度を設定する。サテライト音声強度とは、サテライト音声出力機能によってサテライト成分の音声信号を音声信号出力端子１８に供給するときにおける、音声信号出力端子１８に供給するサテライト成分の音声信号の強度である。この設定は、メニュー画面を表示して行われる。制御部２１によって、サテライト音声強度設定手段が構成されている。
【００４９】
また、制御部２１は、音声処理部１６から出力されるヘッダ情報に基いて、テレビジョン受信部１１又はＨＤＭＩレシーバ１３により受信している音声信号の種類（マルチＣＨ音声信号であるのか、それとも、２ＣＨ音声信号であるのか）を判断する。
【００５０】
また、制御部２１は、テレビジョン受信部１１又はＨＤＭＩレシーバ１３により受信している音声信号の種類、サテライト音声出力機能の設定状況、及び設定されているサテライト音声強度に基いて、その受信している音声信号による音声の出力を制御する。
【００５１】
図２は、テレビジョン受像機１の音声出力動作のフローチャートを示す。テレビジョン受信部１１又はＨＤＭＩレシーバ１３により受信している音声信号がマルチＣＨ音声信号であって（＃１でＹＥＳ）、サテライト音声出力機能が有効に設定されている場合（＃２でＹＥＳ）、制御部２１は、その受信しているマルチＣＨ音声信号のサテライト成分の音声信号とその他の成分（サテライト成分以外の成分）の音声信号を個別デコードする（＃３）。すなわち、この場合、制御部２１は、音声処理部１６に対して、音声信号を第１態様のデコード処理によってデコードする旨を指令する。
【００５２】
これにより、音声処理部１６は、その指令を受けて、受信しているマルチＣＨ音声信号を第１態様のデコード処理によってデコードする。すなわち、音声処理部１６は、マルチＣＨ音声信号のリア左成分の音声信号をデコードして第１の音声信号を生成すると共に、リア右成分の音声信号をデコードして第２の音声信号を生成する。また、音声処理部１６は、フロント左成分の音声信号とセンター成分の音声信号とサブウーハー成分の音声信号をダウンミックスしてデコードして第３の音声信号を生成すると共に、フロント右成分の音声信号とセンター成分の音声信号とサブウーハー成分の音声信号をダウンミックスしてデコードして第４の音声信号を生成する。
【００５３】
そして、制御部２１は、デコードしたサテライト成分の音声信号を音声信号出力端子１８に供給すると共に（＃４）、デコードしたその他の成分（サテライト成分以外の成分）の音声信号を内蔵スピーカ１７に供給する（＃５）。すなわち、制御部２１は、音声処理部１６に対して、デコード処理後の音声信号を第１の信号供給態様で供給する旨を指令する。
【００５４】
これにより、音声処理部１６は、その指令を受けて、＃３でデコードして生成した第１の音声信号、第２の音声信号、第３の音声信号、第４の音声信号を、第１の信号供給態様で内蔵スピーカ１７及び音声信号出力端子１８に供給する。すなわち、音声処理部１６は、第１の音声信号（リア左成分の音声信号をデコードして生成した音声信号）を左音声信号出力部１８Ｌに供給すると共に、第２の音声信号（リア右成分の音声信号をデコードして生成した音声信号）を右音声信号出力部１８Ｒに供給する。また、音声処理部１６は、第３の音声信号（フロント左成分の音声信号とセンター成分の音声信号とサブウーハー成分の音声信号をダウンミックスしてデコードして生成した音声信号）を左スピーカ１７Ｌに供給すると共に、第４の音声信号（フロント右成分の音声信号とセンター成分の音声信号とサブウーハー成分の音声信号をダウンミックスしてデコードして生成した音声信号）を右スピーカ１７Ｒに供給する。
【００５５】
このとき、制御部２１は、サテライト成分の音声信号を、設定されているサテライト音声強度で音声信号出力端子１８に供給する。すなわち、制御部２１は、音声処理部１６に対して、左音声信号出力部１８Ｌに供給する第１の音声信号（リア左成分の音声信号をデコードして生成した音声信号）、及び右音声信号出力部１８Ｒに供給する第２の音声信号（リア右成分の音声信号をデコードして生成した音声信号）の信号強度を、設定されているサテライト音声強度にする旨を指令する。これにより、音声処理部１６は、その指令を受けて、左音声信号出力部１８Ｌに供給する第１の音声信号、及び右音声信号出力部１８Ｒに供給する第２の音声信号を、設定されているサテライト音声強度となるように調整する。
【００５６】
また、テレビジョン受信部１１又はＨＤＭＩレシーバ１３により受信している音声信号がマルチＣＨ音声信号であって（＃１でＹＥＳ）、サテライト音声出力機能が有効に設定されていない（無効に設定されている）場合（＃２でＮＯ）、制御部２１は、その受信しているマルチＣＨ音声信号のサテライト成分の音声信号とその他の成分（サテライト成分以外の成分）の音声信号をダウンミックスしてデコードする（＃６）。すなわち、この場合、制御部２１は、音声処理部１６に対して、音声信号を第２態様のデコード処理によってデコードする旨を指令する。
【００５７】
これにより、音声処理部１６は、その指令を受けて、受信しているマルチＣＨ音声信号を第２態様のデコード処理によってデコードする。すなわち、音声処理部１６は、マルチＣＨ音声信号のリア左成分の音声信号とフロント左成分の音声信号とセンター成分の音声信号とサブウーハー成分の音声信号をダウンミックスしてデコードして第１の音声信号を生成すると共に、リア右成分の音声信号とフロント右成分の音声信号とセンター成分の音声信号とサブウーハー成分の音声信号をダウンミックスしてデコードして第２の音声信号を生成する。
【００５８】
そして、制御部２１は、デコードしたマルチＣＨ音声信号のサテライト成分の音声信号とその他の成分（サテライト成分以外の成分）の音声信号をダウンミックスした音声信号を内蔵スピーカ１７に供給する（＃７）。すなわち、制御部２１は、音声処理部１６に対して、デコード処理後の音声信号を第２の信号供給態様で供給する旨を指令する。
【００５９】
これにより、音声処理部１６は、その指令を受けて、＃６でデコードして生成した第１の音声信号、第２の音声信号を、第２の信号供給態様で内蔵スピーカ１７及び音声信号出力端子１８に供給する。すなわち、音声処理部１６は、第１の音声信号（リア左成分の音声信号とフロント左成分の音声信号とセンター成分の音声信号とサブウーハー成分の音声信号をダウンミックスしてデコードして生成した音声信号）を左スピーカ１７Ｌ及び左音声信号出力部１８Ｌに供給すると共に、第２の音声信号（リア右成分の音声信号とフロント右成分の音声信号とセンター成分の音声信号とサブウーハー成分の音声信号をダウンミックスしてデコードして生成した音声信号）を右スピーカ１７Ｒ及び右音声信号出力部１８Ｒに供給する。
【００６０】
また、テレビジョン受信部１１又はＨＤＭＩレシーバ１３により受信している音声信号がマルチＣＨ音声信号でない（２ＣＨ音声信号である）場合（＃１でＮＯ）、制御部２１は、その受信している音声信号を通常にデコードする（＃８）。すなわち、この場合、制御部２１は、音声処理部１６に対して、音声信号を第３態様のデコード処理によってデコードする旨を指令する。
【００６１】
これにより、音声処理部１６は、その指令を受けて、受信している２ＣＨ音声信号を第３態様のデコード処理によってデコードする。すなわち、音声処理部１６は、２ＣＨ音声信号の左成分の音声信号をデコードして第１の音声信号を生成すると共に、右成分の音声信号をデコードして第２の音声信号を生成する。
【００６２】
そして、制御部２１は、デコードした音声信号を内蔵スピーカ１７に供給する（＃９）。すなわち、制御部２１は、音声処理部１６に対して、デコード処理後の音声信号を第３の信号供給態様で供給する旨を指令する。
【００６３】
これにより、音声処理部１６は、その指令を受けて、＃８でデコードして生成した第１の音声信号、第２の音声信号を、第３の信号供給態様で内蔵スピーカ１７及び音声信号出力端子１８に供給する。すなわち、音声処理部１６は、第１の音声信号（左成分の音声信号をデコードして生成した音声信号）を左スピーカ１７Ｌ及び左音声信号出力部１８Ｌに供給すると共に、第２の音声信号（右成分の音声信号をデコードして生成した音声信号）を右スピーカ１７Ｒ及び右音声信号出力部１８Ｒに供給する。
【００６４】
このような構成のテレビジョン受像機１によれば、サテライト音声出力機能を有効に設定して、音声信号出力端子１８に外部スピーカ８０を接続することにより、マルチＣＨ音声信号のサテライト成分の音声信号が外部スピーカ８０から出力されると共に、マルチＣＨ音声信号のサテライト成分以外の成分の音声が内蔵スピーカ１７から出力される。従って、アンプなどの高価な製品を持たなくても、簡易的に臨場感のある音声を再現することができる。
【００６５】
しかも、ユーザは、サテライト音声出力機能を有効にするか否かを設定することにより、サテライト音声出力機能を働かせる状態（サテライト成分の音声信号が外部スピーカ８０から出力されると共に、サテライト成分以外の成分の音声が内蔵スピーカ１７から出力される状態）と、そうでない状態とに、任意に設定することができる。従って、利便性が良い。
【００６６】
また、ユーザは、サテライト音声強度を設定することにより、外部スピーカ８０から出力されるサテライト成分の音声の音量を任意に調整することができる。従って、利便性が良い。
【００６７】
また、サテライト成分の音声信号を外部に出力するための音声信号出力端子１８がヘッドホンジャックであるため、外部スピーカ８０を接続するための（すなわち、サテライト成分の音声を出力するための）専用の端子を設ける必要がない。従って、臨場感のある音声の再現を、安価に実現できる。
【００６８】
また、テレビジョン放送局からテレビジョン信号として放送されるマルチＣＨ音声信号、及び外部装置からＨＤＭＩ信号として送信されるマルチＣＨ音声信号について、臨場感のある音声を再現することができる。
【００６９】
なお、本発明は、上記実施形態の構成に限られず、種々の変形が可能である。例えば、音声信号出力端子は、ヘッドホンジャックに限られず、外部スピーカを接続するための専用の端子であってもよい。また、本発明は、テレビジョン受像機に限られず、例えば、ＢＤプレイヤ等のＡＶ機器に接続して使用される画像音声出力装置や、パーソナルコンピュータに用いられる画像音声出力装置等、他の画像音声出力装置にも適用可能である。
【符号の説明】
【００７０】
１    テレビジョン受像機（画像音声出力装置）
１１    テレビジョン受信部（受信手段）
１１ａ    アンテナ
１２    ＨＤＭＩ端子（受信手段）
１３    ＨＤＭＩレシーバ（受信手段）
１４    画像処理部
１５    ディスプレイ
１６    音声処理部
１７    内蔵スピーカ
１７Ｌ    左スピーカ
１７Ｒ    右スピーカ
１８    音声信号出力端子
１８Ｌ    左音声信号出力部
１８Ｒ    右音声信号出力部
１９    リモコン（操作手段）
２０    リモコン受信部
２１    制御部（音声出力制御手段、サテライト機能設定手段、サテライト音声強度設定手段）
８０    外部スピーカ
８１Ｌ    外部左スピーカ
８１Ｒ    外部右スピーカ
８２    音声信号入力端子
８２Ｌ    左音声信号入力部
８２Ｒ    右音声信号出力部
【図１】
2012156598.tif 000003
【図２】
2012156598.tif 000004